(57)【要約】【課題】ＬＣＤモニタ等の表示装置の表示画面の発光値、例えば輝度の調整に際し、表示画面の輝度を測定する測定装置に対する視野角に基づく測定誤差の影響を排除する調整方法、調整システム、表示装置、調整用装置及びコンピュータプログラムを提供する。【解決手段】調整用装置は、広範囲用測定装置が測定した全範囲の測定結果及び狭範囲用測定装置が測定した局所範囲の測定結果を受け付け（Ｓ１０１，Ｓ１０３）、狭範囲用測定装置による局所範囲の測定結果に基づいて局所範囲の調整値を導出し（Ｓ１０５）、狭範囲用測定装置による局所範囲の測定結果及び広範囲用測定装置による測定範囲の中で局所範囲に対応する範囲の測定結果の関係に基づき、広範囲用測定装置による測定結果を補正することで局所範囲以外の調整値を導出する（Ｓ１０６）。表示装置は、導出された調整値に基づき表示画像の輝度を調整する。【選択図】図１０
2008268376.tif 000002
【特許請求の範囲】
【請求項１】
表示装置の表示画面の発光値を測定手段にて測定した結果に基づいて調整する調整方法において、
前記表示装置の表示画面の発光値を、広範囲用測定手段にて測定し、
前記表示装置の表示画面の一部の発光値を、前記広範囲用測定手段より測定範囲が狭い狭範囲用測定手段にて測定し、
前記広範囲用測定手段が測定した測定結果を、前記狭範囲用測定手段が測定した測定結果に基づき補正した結果に基づいて、表示画面の発光値を調整する
ことを特徴とする調整方法。
【請求項２】
表示画面の発光値の調整に用いる調整値を記録し、該調整値に基づいて発光値を調整する表示装置と、該表示装置の表示画面の発光値を測定した結果に基づいて、前記表示装置に記録する調整値を算出する調整用装置とを備える調整システムにおいて、
前記表示装置の表示画面の発光値を測定する広範囲用測定手段と、
前記表示装置の表示画面の一部の発光値を測定し、前記広範囲用測定手段より測定範囲が狭い狭範囲用測定手段と
を更に備え、
前記調整用装置は、
前記広範囲用測定手段が測定した測定結果を、前記狭範囲用測定手段が測定した測定結果に基づき補正した結果から調整値を導出する導出手段を備え、
前記表示装置は、
前記調整用装置が導出した調整値を記録する記録手段を備える
ことを特徴とする調整システム。
【請求項３】
前記狭範囲用測定手段が測定した範囲は、前記広範囲用測定手段が測定した測定範囲に含まれる局所範囲であり、
前記導出手段は、
前記狭範囲用測定手段が測定した局所範囲の測定結果に基づいて、局所範囲の調整値を導出する手段と、
前記狭範囲用測定手段が測定した局所範囲の測定結果、及び前記広範囲用測定手段が測定した測定範囲の中で局所範囲に対応する範囲の測定結果の関係に基づいて、前記広範囲用測定手段が測定した測定範囲の中で局所範囲に対応する範囲以外の範囲の測定結果を補正することにより、局所範囲に対応する範囲以外の範囲の調整値を導出する手段と
を含む
ことを特徴とする請求項２に記載の調整システム。
【請求項４】
前記表示装置は、
画像信号の階調値に基づく発光値の画像を表示画面に表示する様に構成してあり、
前記調整値は、各階調値に対応し、表示画面を複数の領域に区分した各画面領域の発光値を示す値であり、
各画面領域の調整値の分布に基づき、階調値毎の目標発光値を設定する設定手段と、
調整値及び目標発光値の関係に基づいて、階調値を補正する手段と
を備えることを特徴とする請求項２又は請求項３に記載の調整システム。
【請求項５】
前記目標発光値を設定する設定手段は、階調値毎に各画面領域に対して同じ目標発光値を設定する様に構成してあることを特徴とする請求項４に記載の調整システム。
【請求項６】
前記発光値は、輝度、色成分の刺激値又は色度であることを特徴とする請求項２乃至請求項５のいずれかに記載の調整システム。
【請求項７】
表示画面の発光値の調整に用いる調整値を記録し、該調整値に基づいて発光値を調整する表示装置において、
前記表示画面の発光値を測定した結果に基づく第１調整値を記録する手段と、
前記表示画面の一部の発光値を測定した結果に基づき第１調整値を補正する第２調整値を記録する手段と、
第１調整値を第２調整値にて補正した結果に基づいて、前記表示画面の発光値を調整する手段と
を備えることを特徴とする表示装置。
【請求項８】
表示装置の表示画面の発光値を調整する調整値を導出する調整用装置において、
前記表示装置の表示画面の発光値を広範囲用測定手段にて測定した測定結果を受け付ける手段と、
前記表示装置の表示画面の一部の発光値を、前記広範囲用測定手段より測定範囲が狭い狭範囲用測定手段にて測定した測定結果を受け付ける手段と、
前記広範囲用測定手段が測定した測定結果を、前記狭範囲用測定手段が測定した測定結果に基づき補正した結果から調整値を導出する手段と
を備えることを特徴とする調整用装置。
【請求項９】
コンピュータに、表示装置の表示画面の発光値を調整する調整値を導出させるコンピュータプログラムにおいて、
コンピュータに、前記表示装置の表示画面の発光値を測定した測定結果を、前記表示装置の表示画面の一部の発光値を測定した測定結果に基づき補正した結果から調整値を導出させる手順を実行させることを特徴とするコンピュータプログラム。
【発明の詳細な説明】
【技術分野】
【０００１】
本発明は、表示装置の表示画面の発光値を、測定装置にて測定した結果に基づいて調整する調整方法、該調整方法を適用した調整システム、前記調整方法にて発光値を調整する表示装置、前記調整方法による表示装置の発光値の調整に用いる調整用装置、及び該調整用装置を実現するためのコンピュータプログラムに関し、特に表示装置の輝度ムラ及び色ムラを補正する調整方法、調整システム、表示装置、調整用装置及びコンピュータプログラムに関する。
【背景技術】
【０００２】
ＬＣＤ(Liquid Crystal Display)モニタ、ＣＲＴ(Cathode Ray Tube)モニタ、ＰＤＰ(Plasma Display Panel)モニタ、プロジェクタ等の表示装置の表示画面に表示される画像は、その製造品質のバラツキで輝度ムラが生じてしまうという問題がある。例えばＬＣＤモニタの表示画面に用いられる液晶パネルの場合、液晶層の厚みのバラツキ、駆動用トランジスタの動作特性のバラツキ及びバックライトの発光分布のバラツキを輝度ムラの原因として例示することができる。
【０００３】
輝度ムラの調整方法の一例について説明する。先ず製造工程において、表示装置の表示画面全体に単一の階調値の画像を表示させ、表示画面全体の輝度の分布を輝度センサ等の測定装置にて測定し、測定結果である輝度を記録した輝度ムラテーブルを生成する。輝度ムラテーブルには、表示画面全体を複数の領域に区分した画面領域毎に、測定結果である輝度が記録される。この様な輝度ムラテーブルは、全ての階調値又は選択された階調値毎に生成される。そして輝度ムラテーブルに記録された輝度の分布に基づいて輝度の目標値を設定し、設定された目標値になる様に階調値を補正することで輝度を調整する。
【０００４】
表示画面の輝度を測定する輝度センサ等の測定装置について説明する。図１４は、測定装置を用いた輝度の測定例を示す模式図である。測定装置は、非接触型及び接触型の２種類に大別される。図１４（ａ）は、非接触型で広範囲の測定が可能なＣＣＤカメラ等の測定装置（広範囲用測定装置）３により液晶パネル等の表示部１０に表示された表示画像の輝度を測定している状況を示している。図１４（ａ）に示した広範囲用測定装置３は、表示部１０の表示画像全体を測定範囲としていることから、一度の測定で表示画像全体の輝度を測定することができる。図１４（ｂ）は、接触型で広範囲用測定装置３より測定範囲が狭い測定装置（狭範囲用測定装置）４により輝度を測定している状況を示している。図１４（ｂ）に示す様に狭範囲用測定装置４は、表示部１０の表示画面の中で接触している面のみを測定範囲としているので、表示画面全体の輝度を測定するためには、接触位置をずらしながら何度も測定を行わなければならない。従って輝度ムラテーブルの生成には、広範囲用測定装置３が用いられる。
【０００５】
さらに輝度ムラの調整方法の具体的な例について説明する。図１５は、表示装置に適用される調整方法の一例を概念的に示す説明図である。図１５（ａ）は、パーソナルコンピュータ（ＰＣ）から表示装置へ出力される画像信号を表示される画像のイメージとして示しており、図１５（ｂ）は、図１５（ａ）に示す画像信号を表示画面に表示した場合に表示される画像のイメージを示している。また図１５（ｃ）は、表示装置にて行われる輝度の調整処理を画像のイメージとして示しており、図１５（ｄ）は、図１５（ｃ）に示す調整処理後の画像信号を表示される画像のイメージとして示している。パーソナルコンピュータから図１５（ａ）に示すイメージの画像信号の入力を受け付けた表示装置が、調整処理を行わずに表示した画像が図１５（ｂ）である。図１５（ｂ）に示す様に、図１５（ｂ）に向かって左上部及び右下部の領域に表示された画像は、他の領域に表示された画像より輝度が高くなっており、画面全体に輝度ムラが生じている。そこで表示装置では、図１５（ａ）に示す入力された画像信号に対し、図１５（ｃ）に示す調整処理を行う。図１５（ｃ）に示す調整処理では、輝度が高くなる左上部及び右下部の領域に表示される画像に対してのみ、階調値を下げる階調調整処理を行っている。図１５（ｃ）に示す様に階調調整処理を行った画像信号に基づく画像を表示画面に表示させると、表示画面の輝度ムラと、階調調整処理による階調値の調整とが相殺されて、図１５（ｄ）に示す様に入力された図１５（ａ）のイメージを再現する画像が表示画面に表示されることになる。
【０００６】
次に階調の調整による輝度調整について説明する。図１６は、入力階調と出力輝度との関係の一例を示す階調特性図である。図１６に示す階調特性図は、横軸に入力される画像信号の階調をとり、縦軸に表示画面に表示される画像の輝度をとってその関係を実線にて示したガンマ曲線である。図１６に示す様に入力階調と出力輝度との関係は、１：１ではないため、例えば輝度ムラにより輝度が１０％上昇した場合、単に階調を１０％低下させても所望の輝度とはならず、輝度ムラを解消することはできない。そこで入力階調と出力輝度との関係を示す下記の式ａのガンマ曲線式を用いて輝度を調整するための階調値を算出する。
【０００７】
【数１】
2008268376.tif 000003
【０００８】
式ａ中のγは、表示画面を有する液晶パネル等の表示部固有の定数で、例えばＬＣＤモニタは、γ＝２．２となるように設計されている。式ａを変形することにより、輝度を調整するための階調値を算出する下記の式ｂが導出される。そして式ｂを用いて階調補正処理を行うことにより、輝度ムラを補正することが可能となる。
【０００９】
【数２】
2008268376.tif 000004
【００１０】
また輝度を調整するための階調値の算出に用いる式としては、ガンマ曲線式だけでなく、医療用ＬＣＤモニタに適用される階調特性を示すＤＩＣＯＭ(Digital Imaging and COmmunications in Medicine)曲線を示す数式等のより複雑な数式がある。
【００１１】
また数式を用いて輝度ムラを補正する階調値を算出するのではなく、階調値と輝度とを対応付けたテーブルを表示装置に備えさせ、複雑な計算等の処理を回避する方法もある。
【００１２】
なお表示画面に表示される画像の輝度ムラを補正する技術は、例えば下記の特許文献１に開示されている。
【特許文献１】特開平３−１８８２２号公報
【発明の開示】
【発明が解決しようとする課題】
【００１３】
しかしながら広範囲用測定装置にて測定した輝度は誤差が大きくなるため、高精度に輝度ムラを調整することができないという問題がある。図１７は、広範囲用測定装置を用いた輝度の測定例を示す模式図である。図１７に示す様に表示部１０に対する広範囲用測定装置３の視野角θが測定箇所により変動するため輝度の測定結果に誤差が生じる。特に表示部１０が液晶パネルである場合、視野角θの変化に対する光量の変動は顕著である。これは液晶パネルが液晶配向を画像表示に利用しているため、液晶配向の向きと観察方向との関係により透過率及び反射率が影響を受けるという視野角特性を有するためである。そこで製造工程においては、表示部１０及び広範囲用測定装置３間の測定距離を長くとることで、視野角θに基づく誤差を小さくしている。しかしながら測定距離を長くした場合、測定解像度が低下し、また製造ラインのレイアウトにも影響を与えるため、視野角θに基づく誤差を抑える程度にまで測定距離を長くすることは困難である。
【００１４】
図１４（ｂ）に示した狭範囲用測定装置４を用いた場合、視野角θによる誤差を抑制することは可能であるが、前述した様に表示画面全体の輝度を測定するためには、接触位置をずらしながら何度も測定を行わなければならないため作業量、作業時間等の作業性の問題が生じる。
【００１５】
また製造時に輝度ムラを調整した表示装置であっても、経年劣化により更なる輝度ムラが生じるという問題がある。さらに輝度ムラだけでなく、色ムラについても、作業性の問題、経年劣化に関する問題等の同様の問題がある。
【００１６】
本発明は斯かる事情に鑑みてなされたものであり、表示装置の表示画面全体の輝度、色成分の刺激値、色度等の発光値を、広範囲用測定装置にて測定し、表示画面の一部の発光値を狭範囲用測定装置にて測定し、広範囲用測定装置が測定した測定結果を、狭範囲用測定装置が測定した測定結果に基づき補正した結果に基づいて、表示画面の発光値を調整することにより、作業性の問題を大きくすることなく、測定結果の誤差を抑制することが可能であり、しかも経年変化に対する調整にも適用することが可能な調整方法、該調整方法を適用した調整システム、前記調整方法にて発光値を調整する表示装置、前記調整方法による表示装置の発光値の調整に用いる調整用装置、及び該調整用装置を実現するためのコンピュータプログラムの提供を主たる目的とする。
【課題を解決するための手段】
【００１７】
第１発明に係る調整方法は、表示装置の表示画面の発光値を測定手段にて測定した結果に基づいて調整する調整方法において、前記表示装置の表示画面の発光値を、広範囲用測定手段にて測定し、前記表示装置の表示画面の一部の発光値を、前記広範囲用測定手段より測定範囲が狭い狭範囲用測定手段にて測定し、前記広範囲用測定手段が測定した測定結果を、前記狭範囲用測定手段が測定した測定結果に基づき補正した結果に基づいて、表示画面の発光値を調整することを特徴とする。
【００１８】
第２発明に係る調整システムは、表示画面の発光値の調整に用いる調整値を記録し、該調整値に基づいて発光値を調整する表示装置と、該表示装置の表示画面の発光値を測定した結果に基づいて、前記表示装置に記録する調整値を算出する調整用装置とを備える調整システムにおいて、前記表示装置の表示画面の発光値を測定する広範囲用測定手段と、前記表示装置の表示画面の一部の発光値を測定し、前記広範囲用測定手段より測定範囲が狭い狭範囲用測定手段とを更に備え、前記調整用装置は、前記広範囲用測定手段が測定した測定結果を、前記狭範囲用測定手段が測定した測定結果に基づき補正した結果から調整値を導出する導出手段を備え、前記表示装置は、前記調整用装置が導出した調整値を記録する記録手段を備えることを特徴とする。
【００１９】
第３発明に係る調整システムは、第２発明において、前記狭範囲用測定手段が測定した範囲は、前記広範囲用測定手段が測定した測定範囲に含まれる局所範囲であり、前記導出手段は、前記狭範囲用測定手段が測定した局所範囲の測定結果に基づいて、局所範囲の調整値を導出する手段と、前記狭範囲用測定手段が測定した局所範囲の測定結果、及び前記広範囲用測定手段が測定した測定範囲の中で局所範囲に対応する範囲の測定結果の関係に基づいて、前記広範囲用測定手段が測定した測定範囲の中で局所範囲に対応する範囲以外の範囲の測定結果を補正することにより、局所範囲に対応する範囲以外の範囲の調整値を導出する手段とを含むことを特徴とする。
【００２０】
第４発明に係る調整システムは、第２発明又は第３発明において、前記表示装置は、画像信号の階調値に基づく発光値の画像を表示画面に表示する様に構成してあり、前記調整値は、各階調値に対応し、表示画面を複数の領域に区分した各画面領域の発光値を示す値であり、各画面領域の調整値の分布に基づき、階調値毎の目標発光値を設定する設定手段と、調整値及び目標発光値の関係に基づいて、階調値を補正する手段とを備えることを特徴とする。
【００２１】
第５発明に係る調整システムは、第４発明において、前記目標発光値を設定する設定手段は、階調値毎に各画面領域に対して同じ目標発光値を設定する様に構成してあることを特徴とする。
【００２２】
第６発明に係る調整システムは、第２発明乃至第５発明のいずれかにおいて、前記発光値は、輝度、色成分の刺激値又は色度であることを特徴とする。
【００２３】
第７発明に係る表示装置は、表示画面の発光値の調整に用いる調整値を記録し、該調整値に基づいて発光値を調整する表示装置において、前記表示画面の発光値を測定した結果に基づく第１調整値を記録する手段と、前記表示画面の一部の発光値を測定した結果に基づき第１調整値を補正する第２調整値を記録する手段と、第１調整値を第２調整値にて補正した結果に基づいて、前記表示画面の発光値を調整する手段とを備えることを特徴とする。
【００２４】
第８発明に係る調整用装置は、表示装置の表示画面の発光値を調整する調整値を導出する調整用装置において、前記表示装置の表示画面の発光値を広範囲用測定手段にて測定した測定結果を受け付ける手段と、前記表示装置の表示画面の一部の発光値を、前記広範囲用測定手段より測定範囲が狭い狭範囲用測定手段にて測定した測定結果を受け付ける手段と、前記広範囲用測定手段が測定した測定結果を、前記狭範囲用測定手段が測定した測定結果に基づき補正した結果から調整値を導出する手段とを備えることを特徴とする。
【００２５】
第９発明に係るコンピュータプログラムは、コンピュータに、表示装置の表示画面の発光値を調整する調整値を導出させるコンピュータプログラムにおいて、コンピュータに、前記表示装置の表示画面の発光値を測定した測定結果を、前記表示装置の表示画面の一部の発光値を測定した測定結果に基づき補正した結果から調整値を導出させる手順を実行させることを特徴とする。
【００２６】
本発明では、広範囲用測定手段による測定結果を狭範囲用測定手段による測定結果にて補正することにより、広範囲用測定手段が測定した測定結果に含まれる視野角に基づく測定誤差を抑制することが可能であり、しかも全画面を狭範囲用測定手段で測定する必要はないため、作業量、作業時間の増大を抑制することが可能である。
【００２７】
また本発明では、表示画面全体の調整値を、表示画面の一部の発光値を測定した結果に基づき補正することにより、例えば経年変化により発生した輝度ムラ及び色ムラを効率的に補正することが可能である。
【発明の効果】
【００２８】
本発明に係る調整方法、調整システム、表示装置、調整用装置及びコンピュータプログラムは、表示装置の表示画面の輝度等の発光値を、広範囲用測定手段にて測定し、更に表示装置の表示画面の一部の輝度等の発光値を、前記広範囲用測定手段より測定範囲が狭い狭範囲用測定手段にて測定する。そして前記広範囲用測定手段が測定した測定結果を、前記狭範囲用測定手段が測定した測定結果に基づき補正した結果に基づいて、表示画面の発光値を調整する。
【００２９】
この構成により、広範囲用測定手段による測定では、視野角が大きくなる表示画面の縁部の輝度等の発光値の測定結果に含まれる誤差を抑制することが可能である等、優れた効果を奏する。しかも誤差の抑制のために測定距離を長くする必要がないため、測定解像度の低下を防止し、製造ラインのレイアウトに対する悪影響を防止することが可能である。さらに全画面を狭範囲用測定手段で測定する必要はないため、作業性の悪化を防止することが可能である等、優れた効果を奏する。そして階調値に対して同じ発光値の画像を全画面に表示させるべく調整することにより、輝度ムラを解消することが可能であり、更には色成分の刺激値、色度等の発光値の調整に適用することにより色ムラを解消することが可能である等、優れた効果を奏する。
【００３０】
さらに本発明では、狭範囲用測定手段が測定した局所範囲については、狭範囲用測定手段の測定結果に基づいて発光値を調整することにより、広範囲用測定手段の測定に基づく誤差を排除することが可能であり、狭範囲用測定手段が測定した局所範囲以外の範囲については、広範囲用測定手段の測定結果及び狭範囲用測定手段の測定結果に基づいて発光値を調整することにより、作業量、増大を抑制しながらも効率的に誤差を排除することが可能である等、優れた効果を奏する。
【００３１】
また本発明では、例えば表示装置が備える輝度ムラテーブルに記録された表示画面全体の輝度の調整値を、表示画面の一部の輝度を測定した結果に基づき補正することにより、例えば製造工程に生成された輝度ムラテーブルに記録されている調整値を、簡単な測定にて補正することができるので、経年変化により発生した輝度ムラを効率的に補正することが可能である等、優れた効果を奏する。
【発明を実施するための最良の形態】
【００３２】
以下、本発明をその実施の形態を示す図面に基づいて詳述する。なお本発明は、液晶モニタ等の表示装置の表示画面の表示ムラの解消に関する技術であり、表示画面の輝度、色成分の刺激値、色度等の発光値を調整する技術である。以降の説明では、発光値の一つである輝度に関する表示ムラ、即ち輝度ムラを解消する形態を中心に説明する。
【００３３】
実施の形態１．
図１は、本発明の実施の形態１に係る調整方法において、輝度の測定に用いる各装置の一例の外観を示す斜視図である。図１中１は、液晶モニタ等の表示装置であり、表示装置１は、液晶パネル等の表示部１０を備えており、表示部１０の表示画面には、画像信号の階調値に基づく輝度の画像が表示される。表示装置１には、表示画面の輝度ムラの調整に用いるパーソナルコンピュータ等のコンピュータを用いた調整用装置２が接続されている。また調整用装置２には、表示画面の輝度を測定する輝度センサ等の測定装置が接続されている。なお表示装置１は、ＬＣＤモニタに限らず、ＣＲＴモニタ、ＰＤＰモニタ、プロジェクタ等の装置であっても良い。
【００３４】
図１（ａ）は、調整用装置２に、非接触型で広範囲の測定が可能なＣＣＤカメラ等の広範囲用測定装置３を接続し、広範囲用測定装置３にて、表示部１０の表示画面全体の輝度を測定している状態を示している。図１（ｂ）は、調整用装置２に、接触型で広範囲用測定装置３より測定範囲が狭い狭範囲用測定装置４を接続し、狭範囲用測定装置４にて、表示部１０の表示画面の一部を測定している状態を示している。
【００３５】
表示装置１の表示部１０には、表示画面全体に特定の階調値の画像が表示されており、表示部１０の表示画面全体の輝度を広範囲用測定装置３にて測定し、広範囲用測定装置３が測定した測定範囲の一部である局所範囲の輝度を狭範囲用測定装置４にて測定する。なお狭範囲用測定装置４を用いた輝度の測定は、複数箇所の局所範囲に対して行われる。これにより階調値と、表示画面に表示される画像の輝度との関係を求めることができ、また特定の階調値に対する表示画面全体の輝度の分布、即ち輝度ムラを求めることができる。この様な階調値に基づいて表示される画像の輝度の測定は、全ての階調値又は選択された幾つかの階調値に対して行う。
【００３６】
図２は、本発明の実施の形態１に係る調整方法において、画像の表示に用いる装置の一例を示す斜視図である。表示装置１は、画像信号を出力するパーソナルコンピュータ等の信号出力装置５に接続されており、信号出力装置５から出力される画像信号の入力を受け付け、受け付けた画像信号の階調値に基づく輝度の表示画像を表示部１０の表示画面に表示させる。なお信号出力装置５としては、パーソナルコンピュータに限らず、テレビ用チューナ、ＤＶＤプレーヤ、ゲーム機等の装置を用いてもよい。
【００３７】
次に本発明の実施の形態１に係る調整方法における測定輝度の補正について説明する。本発明では、広範囲用測定装置３による測定結果を狭範囲用測定装置４による測定結果にて補正する。図３は、本発明の実施の形態１に係る調整方法において、広範囲用測定装置３にて測定した測定結果の一例を示す説明図である。図３は、表示装置１の表示画面全体に特定の階調に基づく画像を表示し、表示された画像を広範囲用測定装置３にて測定した測定結果を示している。図３に示す様に同じ階調であっても表示画面上の位置によって輝度が異なっており、輝度ムラが発生している。本発明の調整方法では、図３に示す様に表示画面を複数の領域に区分した画面領域毎に輝度の調整を行う。なお広範囲用測定装置３は、表示画面に対して非接触な状態で測定を行う輝度センサであるため、表示部１０から射出される射出光の視野角に基づき輝度の測定結果に誤差が生じる。従って図３に示す輝度の分布は実際の輝度分布とは異なる。
【００３８】
図４は、本発明の実施の形態１に係る調整方法において、狭範囲用測定装置４にて測定する測定範囲の一例を示している。図４に示す表示画面全体の中で、狭範囲用測定装置４は、円内の範囲の輝度を測定する。図４に示す例では、広範囲用測定装置３にて測定した表示画面全体の中で、９カ所の局所範囲の輝度を狭範囲用測定装置４にて測定している。なお局所範囲の位置及び数は任意に設定することが可能であり、例えば表示画面の中で中央部、左上部、右上部、左下部及び右下部の５カ所の局所範囲を局所範囲として狭範囲用測定装置４にて測定する様にしても良い。
【００３９】
図５は、本発明の実施の形態１に係る調整方法において、測定輝度の補正の一例を説明するグラフである。図５（ａ）及び（ｂ）は、表示装置１の表示画面全体に表示された特定の階調の画像の輝度を測定した水平方向の走査線についての測定結果を示したものであり、横軸に水平方向の測定座標をとり、縦軸に輝度の測定結果である測定輝度をとって、測定輝度の水平方向の分布を示している。なお図５では、０〜２５５の２５６段階の離散値に分級された階調値の中で最高輝度の画像を表示させる階調値「２５５」に基づき表示された画像の測定結果を示している。
【００４０】
図５（ａ）では、広範囲用測定装置３にて測定した測定結果を実線にて示し、狭範囲用測定装置４にて測定した測定結果を黒丸にて示している。表示画面の中央部である測定座標「Ｈｃ」の位置では、広範囲用測定装置３による測定輝度及び狭範囲用測定装置４による測定輝度が「Ｌａ」で一致しているが、表示画面の左側の縁部である測定座標「Ｈｌ」の位置では、広範囲用測定装置３による測定輝度「Ｌｂ」より、狭範囲用測定装置４による測定輝度「Ｌｃ」の方が高い値を示している。表示画面の右側の縁部である測定座標「Ｈｒ」の位置でも広範囲用測定装置３による測定輝度より、狭範囲用測定装置４による測定輝度の方が高い値を示している。これは広範囲用測定装置３による測定では、視野角が小さい中央部付近の測定輝度は誤差が小さく狭範囲用測定装置４による測定輝度と一致するが、視野角が大きい縁部付近の測定輝度は誤差が大きく狭範囲用測定装置４による測定輝度と乖離するためである。なお図５では、高い階調値での輝度の測定結果を示しているが、低い階調値での輝度の測定では、視野角が大きい縁部付近において、広範囲用測定装置３による測定輝度の方が、狭範囲用測定装置４による測定輝度より高い値となる。
【００４１】
広範囲用測定装置３による測定輝度を狭範囲用測定装置４による測定輝度にて補正する方法について説明する。先ず各測定装置について、中央部である測定座標「Ｈｃ」の測定輝度と、左側の縁部である測定座標「Ｈｌ」の測定輝度との関係から下記の式１及び式２を用いて測定輝度の変化率、即ち中央部の測定輝度と比べて縁部の測定輝度がどの程度低下しているかを求める。
【００４２】
広範囲用測定装置３による測定輝度の変化率＝（Ｌａ−Ｌｂ）／Ｌａ  …式１
狭範囲用測定装置４による測定輝度の変化率＝（Ｌａ−Ｌｃ）／Ｌａ  …式２
【００４３】
次に式１及び式２で求めた夫々の変化率同士の比率、即ち広範囲用測定装置３に対する視野角による影響の度合いを下記の式３にて求める。
【００４４】
変化率の比率＝広範囲用測定装置３の変化率／狭範囲用測定装置４の変化率  …式３
【００４５】
そして狭範囲用測定装置４にて測定していない測定座標「Ｈｃ」及び測定座標「Ｈｌ」間については、広範囲用測定装置３の測定輝度に式３にて求めた変化率の比率を乗じることにより、変化率を線形補間した測定輝度を求める。
【００４６】
図５（ｂ）は、広範囲用測定装置３にて測定した測定結果である輝度の補正結果を示しており、点線が広範囲用測定装置３にて測定した測定輝度を示しており、実線が広範囲用測定装置３による測定輝度を狭範囲用測定装置４による測定輝度にて補正した結果を示している。即ち測定座標「Ｈｃ」の位置の輝度は、広範囲用測定装置３による測定輝度と狭範囲用測定装置４による測定輝度とが一致しているため、広範囲用測定装置３の測定輝度を補正する必要はない。測定座標「Ｈｌ」の位置の輝度は、広範囲用測定装置３による測定輝度を、視野角に基づく誤差が無い狭範囲用測定装置３の測定輝度に補正する。そして狭範囲用測定装置４にて測定していない位置については、測定座標「Ｈｌ」における広範囲用測定装置３の測定輝度「Ｌｃ」及び狭範囲用測定装置の測定輝度「Ｌｂ」の関係に基づいて、広範囲用測定装置３の測定輝度を補正する。測定座標「Ｈｒ」側についても同様の補正を行う。なお狭範囲用測定装置４にて測定していない範囲の輝度の補間方法は、上述した線形補間に限らず、表示装置１の特性等の要因に応じて適宜選択することが可能である。
【００４７】
次に本発明の実施の形態１に係る調整方法を実現するための具体例を説明する。図６は、本発明の実施の形態１に係る調整方法に用いられる表示装置１の構成例を示すブロック図である。表示装置１は、信号出力装置５から画像信号の入力を受け付ける入力部１１、及び入力部１１から受け付けた画像信号に対する変換処理等の処理を実行し、変換処理後の画像信号を出力する画像コントローラ等の画像処理部１２を備えており、画像処理部１２から出力された画像信号は、表示部１０から表示画像として出力される。表示装置１が信号出力装置５から入力を受け付ける画像信号とは、画像を構成する複数の画素の夫々について、輝度を０〜２５５の２５６段階の離散値に分級して示す階調値を示したデータであり、階調値に基づく輝度の画素を表示部１０に表示させることにより、使用者は画素の集合体である表示画像を視認することができる。さらに表示装置１は、調整用装置２を接続して各種情報を入出力するＵＳＢ(Universal Serial Bus)等の規格に基づく接続ポート等の接続部１３を備えている。
【００４８】
画像処理部１２は、画像処理部１２全体を制御するＭＰＵ(Micro Processor Unit)等の制御手段１２０と、入力部１１が受け付けた画像信号の入力を受け付ける画像信号入力手段１２１と、画像信号入力手段１２１にて入力を受け付けた画像信号を一時的に記録し、記録した画像信号に対する変換処理を行う画像信号変換手段１２２と、画像信号変換手段１２２にて変換された画像信号を表示部１０へ出力する画像信号出力手段１２３とを備えている。なお入力部１１から受け付けた画像信号がアナログ信号である場合には、画像信号入力手段１２１にてアナログ／デジタル変換を行い、画像信号出力手段１２３にてデジタル／アナログ変換が行われる。
【００４９】
また画像処理部１２は、画像信号の変換に要する各種演算処理を実行する演算手段１２４と、演算手段１２４の演算時に使用する各種データを記録する揮発性メモリ、不揮発性メモリ等の記録手段１２５とを備えており、画像信号変換手段１２２に記録された画像信号は、演算手段１２４の演算結果に基づいて変換処理がなされる。なお記録手段１２５の記録領域には、後述する画像処理に要する輝度ムラテーブル１２５ａ、調整係数テーブル１２５ｂ等の各種テーブル及びデータが予め記録されている。なおここでは輝度ムラテーブル１２５ａ及び調整係数テーブル１２５ｂとの表現を用いているが、本発明の無数にある記録形式の一例として表現しているだけであり、記録される各種情報は必ずしもテーブル形式で記録する必要はなく、表示装置１に係るハードウェア、ソフトウェア、目的及びその他の要因に応じて適宜設計されるものである。
【００５０】
さらに画像処理部１２は、接続部１３と接続して、調整用装置２等の接続された外部の装置と情報を送受信するＵＳＢコントローラ等の情報入出力手段１２６を備えている。
【００５１】
図７は、本発明の実施の形態１に係る調整方法にて用いられる表示装置１が備える輝度ムラテーブル１２５ａの記録内容の一例を概念的に示す説明図である。図７に示す輝度ムラテーブル１２５ａは、広範囲用測定装置３にて測定装置による測定結果を狭範囲用測定装置４による測定結果にて補正した輝度に基づき作成されるテーブルであり、表示部１０の画面を区分した各画面領域について階調値に基づき表示される各画面領域の輝度を（ｃｄ／ｍ2 ）単位で示している。なお各画面領域の輝度は、例えば画面領域内の全ての画素について調整した輝度の平均値を、その画面領域内の輝度の代表値として用いる。図７に示す様に同じ階調値に基づく画像を表示した時であっても表示される画像の輝度は、４８０〜３３６（ｃｄ／ｍ2）のバラツキをもって分布している。そして輝度ムラテーブル１２５ａに記録されている輝度は、表示装置１の表示画面の輝度を調整する調整値として用いられる。
【００５２】
輝度ムラテーブル１２５ａは、階調値毎に複数記録されており、入力された画像信号が示す階調値に応じて、使用する輝度ムラテーブル１２５ａが適宜選択される。ただし全ての階調値に対応する輝度ムラテーブル１２５ａを記録しておく必要はなく、例えば階調値が０，１０，２０，…というように１０おきの階調値に対応する輝度ムラテーブル１２５ａのみを記録しておく様にしても良く、その場合、輝度ムラテーブル１２５ａが対応していない階調値を受け付けた場合、他の階調値に対応する輝度ムラテーブル１２５ａに示された輝度を加重平均して、受け付けた階調値に対応する値を算出する。
【００５３】
図７では、表示部１０の表示画面を４８個の画面領域に区分する形態を例示しているが、本発明はこれに限らず、４８以外の数の多数の画面領域に区分することも可能であり、更には画素毎に区分することも可能である。そして区分する画面領域の数が多い程、高精度の輝度ムラ補正が可能となる。また輝度ムラテーブル１２５ａには、輝度そのものを示す調整値ではなくとも、輝度を示す調整値で有ればよい。例えば各画面領域の夫々の輝度の最大値、平均値等の基準値を設定し、設定した基準値に基づき輝度を正規化した値を調整値として輝度ムラテーブル１２５ａに記録することも可能である。
【００５４】
図８は、本発明の実施の形態１に係る調整方法にて用いられる表示装置１が備える調整係数テーブル１２５ｂの記録内容の一例を概念的に示す説明図である。調整係数テーブル１２５ｂは、輝度を調整して輝度ムラを無くすことを目的として階調値を調整する調整係数を示したテーブルであり、階調値と、階調値を調整する調整係数とが対応付けて記録されている。輝度の調整量により、階調値の調整係数が異なるため、調整係数テーブル１２５ｂは、輝度調整量毎に記録されている。図８に例示した調整係数テーブル１２５ｂは、輝度を１０％低下させる調整を行う場合の階調値及び調整係数を記録している。なお全ての輝度補正量に対応する調整係数テーブル１２５ｂを準備する必要はなく、例えば輝度を５％低下させる調整を行う調整係数テーブル１２５ｂ、１０％低下させる調整係数テーブル１２５ｂ及び２０％低下させる調整係数テーブル１２５ｂを予め記録しておき、５％、１０％及び２０％以外の率の調整を行う場合、夫々の調整係数テーブル１２５ｂに記録されている値を加重平均して補間する様にすればよい。
【００５５】
図９は、本発明の実施の形態１に係る調整方法に用いられる調整用装置２等の装置の構成例を示すブロック図である。調整用装置２は、装置全体を制御するＣＰＵ等の制御手段２０と、本発明のコンピュータプログラム２００及びデータ等の各種情報を記録したＣＤ−ＲＯＭ等の記録媒体から各種情報を読み取るＣＤ−ＲＯＭドライブ等の補助記憶手段２１と、補助記憶手段２１により読み取った各種情報を記録するハードディスク等の記録手段２２と、情報を一時的に記憶するＲＡＭ等の記憶手段２３とを備えている。そして記録手段２２に記録した本発明のコンピュータプログラム２００を記憶手段２３に記憶させて、制御手段２０の制御にて実行することにより、コンピュータは、本発明の調整用装置２として動作する。さらに調整用装置２は、使用者の操作を受け付けるマウス、キーボード等の入力手段２４と、モニタ、プリンタ等の出力手段２５と、表示装置１に接続する第１接続手段２６と、広範囲用測定装置３に接続する第２接続手段２７と、狭範囲用測定装置４に接続する第３接続手段２８とを備えている。なお第２接続手段２７及び第３接続手段２８を一の手段にて実装する様にしても良い。
【００５６】
広範囲用測定装置３は、表示画面の全体の輝度を測定する測定手段３０と、調整用装置２に接続して測定結果である輝度を出力する接続手段３１とを備えている。狭範囲用測定装置４は、局所範囲の輝度を測定する測定手段４０と、調整用装置２に接続して測定結果である輝度を出力する接続手段４１とを備えている。
【００５７】
次に本発明の実施の形態１に係る各装置の処理について説明する。先ず表示装置１の輝度の測定時の処理について説明する。図１０は、本発明の実施の形態１に係る調整用装置２の処理の一例を示すフローチャートである。使用者は、図１に示した各装置を用いて表示装置１の表示部１０の表示画面に表示された画像の輝度を測定する。調整用装置２は、記憶手段２３に記憶したコンピュータプログラム２００を実行する制御手段２０の制御により、広範囲用測定装置３が測定した表示画面全体の測定結果である全範囲の輝度の入力を受け付け（Ｓ１０１）、受け付けた全範囲の測定結果を、表示画面上の位置を示す座標に対応付けて記録手段２２に記録する（Ｓ１０２）。
【００５８】
さらに調整用装置２は、制御手段２０の制御により、狭範囲用測定装置４が測定した局所範囲の測定結果である輝度の入力を受け付け（Ｓ１０３）、受け付けた局所範囲の測定結果を、表示画面上の位置を示す座標に対応付けて記録手段２２に記録する（Ｓ１０４）。ステップＳ１０３では、広範囲用測定装置３が測定した全範囲内の複数の局所範囲、例えば９箇所の局所範囲の測定結果の入力を受け付け、ステップＳ１０４にて記録する。
【００５９】
そして調整用装置２は、制御手段２０の制御により、局所範囲の輝度を導出する（Ｓ１０５）。ステップＳ１０５では、図５を用いて説明した様に局所範囲については、狭範囲用測定装置４が測定した局所範囲の測定結果に基づいて輝度を導出する。具体的には狭範囲用測定装置４が測定した表示画面の縁部の測定結果を、当該範囲の輝度として用いる。なおステップＳ１０５にて導出した輝度は、表示装置１にて輝度の調整に用いられる調整値である。
【００６０】
さらに調整用装置２は、制御手段２０の制御により、狭範囲用測定装置４が測定した局所範囲の測定結果、及び広範囲用測定装置３が測定した測定範囲の中で局所範囲に対応する範囲の測定結果の関係に基づいて、広範囲用測定装置３が測定した測定結果を補正することにより、局所範囲以外の輝度を導出する（Ｓ１０６）。ステップＳ１０６では、図５を用いて説明した様に、狭範囲用測定装置４が測定した局所範囲の測定結果及び広範囲用測定装置３が測定した局所範囲の測定結果の関係、即ち変化率の比率を求め、求めた変化率の比率を広範囲用測定装置３が測定した測定結果に乗じることにより、局所範囲以外の輝度を導出する。なおステップＳ１０６にて導出した輝度は、表示装置１にて輝度の調整に用いられる調整値である。
【００６１】
そして調整用装置２は、制御手段２０の制御により、ステップＳ１０５及びＳ１０６にて導出した輝度を調整値として、第１接続手段２６から表示装置１へ出力する（Ｓ１０７）。輝度の測定及び測定結果に基づく輝度の調整値の出力は、各階調値について行われる。表示装置１では、接続部１３により輝度の入力を受け付け、表示装置１が備える画像処理部１２では、情報入出力手段１２６を介して輝度を受け付け、受け付けた輝度を輝度ムラテーブル１２５ａとして記録手段１２５に記録する。
【００６２】
次に表示装置１の画像の表示時の処理について説明する。図１１は、本発明の実施の形態１に係る表示装置１の処理の一例を示すフローチャートである。信号出力装置５は、表示装置１へ画像信号を出力し、表示装置１は、入力部１１にて画像信号の入力を受け付ける。そして表示装置１が備える画像処理部１２では、制御手段１２０の制御により、画像信号入力手段１２１にて画像信号の入力を受け付け（Ｓ２０１）、画像信号として受け付けた各画素の階調値を判別し（Ｓ２０２）、判別した階調値に基づく画面領域毎の画素の階調値の代表値、例えば各画面領域内の画素の階調値の平均値に対応する輝度ムラテーブル１２５ａを選択し（Ｓ２０３）、選択した輝度ムラテーブル１２５ａに記録された各画面領域の輝度の調整値に基づいて、輝度の調整の目標となる目標輝度を設定する（Ｓ２０４）。目標輝度は、輝度ムラテーブル１２５ａに記録されている輝度の調整値の分布に基づき設定される値であり、例えば選択した輝度ムラテーブル１２５ａに記録されている調整値の中で、最も値が低い調整値が各画面領域の目標輝度として設定される。
【００６３】
表示装置１が備える画像処理部１２では、制御手段１２０の制御により、選択した輝度ムラテーブル１２５ａから、階調値に対応する各画面領域の輝度の調整値を抽出し（Ｓ２０５）、抽出した各画面領域の輝度の調整値を、設定した目標輝度に調整するための輝度調整量を算出する（Ｓ２０６）。ステップＳ２０６における輝度調整量は、下記の式４に示す様に輝度と目標輝度との差であり、各画面領域について算出される。
【００６４】
輝度調整量＝輝度−目標輝度  …式４
【００６５】
表示装置１が備える画像処理部１２では、制御手段１２０の制御により、各画面領域の輝度調整量に基づいて、画面領域毎に調整係数テーブル１２５ｂを選択し（Ｓ２０７）、各画面領域について、選択した調整係数テーブル１２５ｂから、入力された画像信号の階調値及び調整係数の関係を夫々抽出し（Ｓ２０８）、各画面領域について、入力された画像信号の階調値、及び階調値に関係付けられている調整係数にて調整した輝度調整量に基づいて、調整した階調値を算出する（Ｓ２０９）。ステップＳ２０９における調整した階調値は、下記の式５を用いて画面領域毎に算出する。
【００６６】
調整した階調値＝入力された階調値−輝度調整量×調整係数  …式５
【００６７】
そして表示装置１が備える画像処理部１２では、制御手段１２０の制御により、算出した夫々の調整後の階調値を、出力に係る調整値とする画像信号を画像信号出力手段１２３から表示部１０へ出力し、表示部１０では、受け付けた画像信号に基づく階調値、即ち各画面領域の画素について調整した夫々の階調値に基づく輝度の表示画像を、各画面領域で表示する（Ｓ２１０）。
【００６８】
前記実施の形態１は、本発明の無数にある実現方法の一形態を示したに過ぎず、本発明は上述した実施の形態１に限らず、広範囲用測定装置の視野角に基づく誤差を解消する様々な形態に展開することが可能である。例えば前記実施の形態１では、調整用装置にて輝度の調整値を導出する形態を示したが、本発明はこれに限らす、調整用装置から広範囲用測定装置及び狭範囲用測定装置の測定結果を表示装置へ出力し、表示装置にて輝度の調整値を導出する等、様々な形態に展開することが可能である。
【００６９】
さらに前記実施の形態１では、調整係数テーブルを用いて階調値を調整する形態を示したが、本発明はこれに限らず、ガンマ曲線式等の数式を用いた計算により、階調値を算出する等、様々な形態に展開することが可能である。
【００７０】
実施の形態２．
実施の形態２は、既に輝度ムラテーブルが記録されている表示装置に対し、経年変化等の要因により、再度輝度ムラの調整が必要となった場合に行われる形態である。なお実施の形態１と同様の構成要件については、同様の符号を付し、その説明を省略する。図１２は、本発明の実施の形態２に係る調整方法に用いられる表示装置１の構成例を示すブロック図である。表示装置１は、画像処理部１２の記録手段１２５に、輝度ムラテーブル１２５ａに記録された輝度の調整に用いる輝度係数を記録した輝度係数テーブル１２５ｃを記録している。なお輝度ムラテーブル１２５ａに予め記録されている輝度は、実施の形態１にて説明した様に広範囲用測定装置３にて測定した輝度を狭範囲用測定装置４の測定値にて補正した値であって良く、また広範囲用測定装置３にて測定した補正していない輝度を記録する様にしても良い。輝度係数テーブル１２５ｃは、ＥＰＲＯＭ(Erasable and Programmable Read Only Memory) 等の書換可能な記録手段１２内に記録される。輝度係数テーブル１２５ｃには、輝度ムラテーブル１２５ａに記録されている各画面領域についての輝度を調整すべく、各画面領域に夫々対応付けられた輝度係数が記録されており、輝度ムラテーブル１２５ａに記録されている輝度に輝度係数テーブル１２５ｃに記録されている輝度係数を乗じることにより、調整値である輝度を導出することができる。
【００７１】
次に本発明の実施の形態２に係る各装置の処理について説明する。表示装置１の輝度の測定時の処理について説明する。図１３は、本発明の実施の形態２に係る調整用装置２の処理の一例を示すフローチャートである。使用者は、調整用装置２に調整の対象となる表示装置１を接続し、狭範囲用測定装置４を用いて表示装置１の表示部１０の表示画面に表示された画像の輝度を測定する。調整用装置２は、記憶手段２３に記憶したコンピュータプログラム２００を実行する制御手段２０の制御により、第１接続手段２６を介して接続している表示装置１から、輝度ムラテーブル１２５ａの記録内容を読み取り（Ｓ３０１）、読み取った輝度ムラテーブル１２５ａの記録内容を記録手段２２に記録する（Ｓ３０２）。
【００７２】
さらに調整用装置２は、制御手段２０の制御により、狭範囲用測定装置４が測定した局所範囲の測定結果である輝度の入力を受け付け（Ｓ３０３）、受け付けた局所範囲の測定結果を記録手段２２に記録する（Ｓ３０４）。ステップＳ３０３では、複数の局所範囲、例えば９箇所の局所範囲の測定結果の入力を受け付け、ステップＳ３０４にて記録する。
【００７３】
そして調整用装置２は、制御手段２０の制御により、局所範囲の輝度係数を導出する（Ｓ３０５）。ステップＳ３０５にて導出する輝度係数とは、輝度ムラテーブル１２５ａに記録されている輝度に乗じる調整値であり、表示装置１は、輝度係数を乗じた輝度に基づいて輝度の調整を行う。なおステップＳ３０５では、実施の形態１と同様の方法により、局所範囲については、狭範囲用測定装置４が測定した局所範囲の測定結果に基づいて輝度を導出する。そして導出した輝度を輝度ムラテーブル１２５ａに記録されている輝度にて除することにより、調整値として輝度係数を導出する。
【００７４】
さらに調整用装置２は、制御手段２０の制御により、狭範囲用測定装置４が測定した局所範囲の測定結果、及び輝度ムラテーブル１２５ａから読み取った記録内容の中で局所範囲に対応する範囲の輝度の関係に基づいて、輝度ムラテーブル１２５ａから読み取った輝度を補正することにより、局所範囲以外の輝度係数を導出する（Ｓ３０６）。ステップＳ３０６では、実施の形態１と同様の方法により、狭範囲用測定装置４が測定した局所範囲の測定結果及び輝度ムラテーブル１２５ａから読み取った記録内容の関係、即ち変化率の比率を求め、求めた変化率の比率を輝度ムラテーブル１２５ａから読み取った局所範囲以外の輝度に乗じることにより、局所範囲以外の輝度を導出する。そして導出した輝度を輝度ムラテーブル１２５ａに記録されている輝度にて除することにより、調整値として輝度係数を導出する。
【００７５】
そして調整用装置２は、制御手段２０の制御により、ステップＳ３０５及びＳ３０６にて導出した輝度係数を調整値として、第１接続手段２６から表示装置１へ出力する（Ｓ３０７）。輝度の測定及び測定結果に基づく輝度係数の出力は、各階調値について行われる。表示装置１では、接続部１３により輝度係数の入力を受け付け、表示装置１が備える画像処理部１２では、情報入出力手段１２６を介して輝度係数を受け付け、受け付けた輝度係数を輝度係数テーブル１２５ｃとして記録手段１２５に記録する。
【００７６】
表示装置１は、画像を表示する際に、実施の形態１と同様の方法により、輝度の調整を行う。但し、輝度ムラテーブル１２５ａに記録されている輝度をそのまま輝度の調整値として用いるのではなく、輝度ムラテーブル１２５ａに記録されている輝度に、輝度係数テーブル１２５ｃに記録されている輝度係数を乗じた値を輝度の調整値として用いる。
【００７７】
前記実施の形態２は、本発明の無数にある実現方法の一形態を示したに過ぎず、本発明は上述した実施の形態２に限らず、輝度ムラテーブルに記録されている輝度を補正する様々な形態に展開することが可能である。例えば前記実施の形態２では、調整用装置から表示装置へ輝度係数を出力する形態を示したが、本発明はこれに限らず、補正後の輝度を調整値として出力する様にしても良く、その場合、表示装置では、調整値として受け付けた輝度を用いて輝度の調整を行う。
【００７８】
前記実施の形態１及び２では、１種類の階調により示されるモノクローム画像に適用して、発光値として輝度を調整する形態を示したが、本発明はこれに限らず、複数の色成分の刺激値により表現されるカラー画像に適用し、発光値として刺激値を調整する形態に展開することも可能であり、更には発光値として色度を調整する形態に展開することも可能である。カラー画像に適用する場合、Ｒｅｄ成分の刺激値、Ｇｒｅｅｎ成分の刺激値及びＢｌｕｅ成分の刺激値の夫々に対し、本発明の調整方法が適用される。各色刺激値については、色成分毎に表示させた場合の輝度を前記実施形態の測定装置で測定する様にしても良く、また色度を測定可能な測定装置を用いて測定する様にしてもよい。その際、輝度ムラテーブルには、色度自体を記憶させても良く、色度から導出される各色刺激値であっても良い。
【図面の簡単な説明】
【００７９】
【図１】本発明の実施の形態１に係る調整方法において、輝度の測定に用いる各装置の一例の外観を示す斜視図である。
【図２】本発明の実施の形態１に係る調整方法において、画像の表示に用いる装置の一例を示す斜視図である。
【図３】本発明の実施の形態１に係る調整方法において、広範囲用測定装置にて測定した測定結果の一例を示す説明図である。
【図４】本発明の実施の形態１に係る調整方法において、狭範囲用測定装置にて測定する測定範囲の一例を示している。
【図５】本発明の実施の形態１に係る調整方法において、測定輝度の補正の一例を説明するグラフである。
【図６】本発明の実施の形態１に係る調整方法に用いられる表示装置の構成例を示すブロック図である。
【図７】本発明の実施の形態１に係る調整方法にて用いられる表示装置が備える輝度ムラテーブルの記録内容の一例を概念的に示す説明図である。
【図８】本発明の実施の形態１に係る調整方法にて用いられる表示装置が備える調整係数テーブルの記録内容の一例を概念的に示す説明図である。
【図９】本発明の実施の形態１に係る調整方法に用いられる調整用装置等の装置の構成例を示すブロック図である。
【図１０】本発明の実施の形態１に係る調整用装置の処理の一例を示すフローチャートである。
【図１１】本発明の実施の形態１に係る表示装置の処理の一例を示すフローチャートである。
【図１２】本発明の実施の形態２に係る調整方法に用いられる表示装置の構成例を示すブロック図である。
【図１３】本発明の実施の形態２に係る調整用装置の処理の一例を示すフローチャートである。
【図１４】測定装置を用いた輝度の測定例を示す模式図である。
【図１５】表示装置に適用される調整方法の一例を概念的に示す説明図である。
【図１６】入力階調と出力輝度との関係の一例を示す階調特性図である。
【図１７】広範囲用測定装置を用いた輝度の測定例を示す模式図である。
【符号の説明】
【００８０】
１  表示装置
２  調整用装置
３  広範囲用測定装置
４  狭範囲用測定装置
５  信号出力装置
【図１】
2008268376.tif 000005
【図２】
2008268376.tif 000006
【図３】
2008268376.tif 000007
【図４】
2008268376.tif 000008
【図５】
2008268376.tif 000009
【図６】
2008268376.tif 000010
【図７】
2008268376.tif 000011
【図８】
2008268376.tif 000012
【図９】
2008268376.tif 000013
【図１０】
2008268376.tif 000014
【図１１】
2008268376.tif 000015
【図１２】
2008268376.tif 000016
【図１３】
2008268376.tif 000017
【図１４】
2008268376.tif 000018
【図１５】
2008268376.tif 000019
【図１６】
2008268376.tif 000020
【図１７】
2008268376.tif 000021